(57)【要約】【課題】  ロールスクリーンの駆動軸にモーターを連結することで、一つの器具で防雨と遮光の二つの目的に使うことができる洗濯物自動防雨装置を提供する。【解決手段】  本発明は、防水と遮光を兼ねた材質のスクリーンを使用し、ロールスクリーンの駆動軸とモーターの軸を連結し、雨センサーからの検知信号を受けてモーター制御装置が働き、モーターが回転することでロールスクリーンの駆動軸が回転し、スクリーンが洗濯物の上部で設定位置まで巻き出され自動的に停止し防雨する。スクリーンを巻き取る場合や遮光のためスクリーンの巻き出しをする場合は、スクリーン駆動軸のチェーンを使うことで遮光の調節ができ、また、本発明はベランダやバルコニーや窓枠などにも取り付けることができるため設置場所の条件に幅広く対応でき、一つの器具で自動防雨と遮光の二つの約割を果たすことを特徴とする洗濯物自動防雨装置。【選択図】図１
2019118780.tif 000002
【特許請求の範囲】
【請求項１】
ベランダの屋根やバルコニーまたは窓枠の外縁部に設置するフレームと、スクリーン巻き出し巻き取り駆動軸と、防水と遮光を兼ねた材質のスクリーンと、スクリーン巻き出し端面に取り付けられ錘を兼ねたボトムパイプと、ボトムパイプのガイド紐と、雨センサーと、雨センサーからの検知信号で作動するモーター制御装置と、前記駆動軸に連結されたモーターと、前記駆動軸を手動で回転させるチェーンで構成され、スクリーン巻き出し巻き取り駆動軸とモーターの軸を直接連結することにより、屋外に設置した雨センサーからの検知信号でモーター制御装置が作動し、モーターの回転に同期して駆動軸が回転することでスクリーンが巻き出され、スクリーン端面に固定されたボトムパイプがガイド紐に沿って下降しながら洗濯物の上部を覆い、予め設定された位置で自動的に停止し、上方向からの降雨や斜め方向からの吹き降りによる洗濯物の雨濡れを防止し、使用後にスクリーンを巻き取る場合や、遮光のためスクリーンの巻き出しをする場合は、駆動部のチェーンを使うことで遮光の調節ができ、一つの器具で自動防雨と遮光の二つの役割を果たすことができることを特徴とする洗濯物自動防雨装置。
【発明の詳細な説明】
【技術分野】
【０００１】  本発明は降雨が始まるとロールスクリーン収納部からスクリーンが自動的に巻き出され、洗濯物の上部を覆い乾燥中の洗濯物が雨によって濡れるのを防ぐ洗濯物自動防雨装置に関するものである。
【背景技術】
【０００２】  ベランダでの洗濯物の屋外干しの場合、自動的に防雨する装置の技術（特許文献１及び特許文献２参照）はあるが、それらの技術はいずれもベランダの屋根によって上方向からの降雨を防ぐ設備が既設されている必要がある。
先行技術の発明は斜め方向から吹き込む雨への防雨を目的としてなされたものである。
また、防雨だけを目的として作動する技術（特許文献１参照）はある。
【先行技術文献】
【特許文献】
【０００３】
【特許文献１】実用新案登録第３００８７５１号公報
【特許文献２】特開２０１７−０３１６０２号公報
【発明の概要】
【発明が解決しようとする課題】
【０００４】  そのため、次のような問題点や課題があった。
（イ）ロールスクリーンは遮光だけを目的として造られた器具で防雨目的には使えない。
（ロ）先行技術の防雨装置はいずれも斜め方向から吹き込む雨だけを想定した防雨装置で      あるため、装置の設置場所が屋根のあるベランダ等に限定される。
（ハ）先行技術では防雨装置をベランダの屋根の外縁部に取り付ける特別な設置工事を伴      うため装置以外に設置費用も必要である。
本発明は、これらの問題点を解決するためになされたものである。
【課題を解決するための手段】
【０００５】  本発明の自動防雨装置は、ベランダやバルコニーでの洗濯物の屋外干しについての問題を想定し、防水と遮光を兼ねた材質のスクリーンを使用することで急な降雨や斜め方向からの吹き降りから洗濯物が濡れるのを防ぐことができる。
本発明はロールスクリーン巻出し巻取り駆動軸（以下「駆動軸」という）の一部を加工し、そこへモーターの軸を直接連結することにより、屋外に設置した雨センサーからの検知信号でモーター制御装置が作動し、モーターの回転と共に駆動軸が回転することによりスクリーンが巻き出され、スクリーン端面に固定されたボトムパイプがガイド紐に沿って下降しながら洗濯物の上部を覆い、予め設定された位置で自動的に停止し、上方向からの降雨や斜め方向からの吹き降りによる洗濯物の雨濡れを防止する。
使用後にスクリーンを巻き取る場合や、遮光のためスクリーンの巻き出しをする場合は、駆動部のチェーンを使うことで遮光の調節ができ、一つの器具で自動防雨と遮光の二つの役割を果たすことができる。
また、本発明装置はベランダの屋根がある場所だけでなく、屋根部分がないバルコニーや建物の窓枠部分にも取り付けることができるため、設置場所の条件に合わせて柔軟に幅広く対応できる。
【発明の効果】
【０００６】（イ）スクリーンを防水と遮光を兼ねた材質に変えることにより、一つの器具でロールス      クリーン本来の遮光目的に加え防雨目的にも使用でき、低コストとなり利用価値が      高まる。
（ロ）防雨装置の設置は屋根のある場所に限らず、軽量のロールスクリーンが固定できる      場所であればどこでも設置できるため、設置条件の制約を受けにくく幅広く対応で      きる。
（ハ）防雨装置の固定には特別な設置工事は不要であるため設置費用を安く抑えられる。
【図面の簡単な説明】
【０００７】
【図１】  本発明のスクリーンを巻き出した状態を示した説明図である。
【図２】  本発明のロールスクリーン本体及び駆動部の斜視図である。
【発明を実施するための形態】
【０００８】  以下、本発明の実施の形態について説明する。
降雨が始まると屋外に設置した雨センサー（５）からの検知信号（図面省略）がモーター制御装置（６）に伝わり、モーター（４）が回転する。
モーター軸（９）に取り付けたプーリー（１０）と直接接合された駆動軸（１１）がモーター（４）と同期して回転する。
駆動軸（１１）の回転により駆動軸（１１）に巻き付けられたスクリーン（２）が巻き出され、スクリーン巻き出し端面に取り付けられ錘を兼ねたボトムパイプ（３）がガイド紐（８）に沿って下降しながら洗濯物の上部を覆い、モーター制御装置（６）のタイマー（図面省略）により予め設定した位置で自動的に停止し、洗濯物が上方向からの降雨や斜め方向からの吹き降りによって濡れるのを防止する。
ガイド紐（８）はフレーム（１）の両端からベランダ手摺（７）へそれぞれ１本ずつ張られ、ボトムパイプ（３）の上下移動ガイドとしての役割と風によるスクリーン（２）の飛揚防止を兼ねた役割を果たす。
降雨などによる電気系統の故障を防ぐため、防水カバー（１４）でモーター（４）全体を覆い防水対策が施されている。
本発明は以上のような構成である。
本発明を使用するときは、まずフレーム（１）をベランダの屋根や庇や窓枠などの外縁端に取り付け、次にボトムパイプ（３）の両端へ取り付けた吊りフック（１２）にボトムパイプ（３）のガイド紐（８）を通し、フレーム（１）の両端とベランダ手摺（７）との間にそれぞれ１本ずつガイド紐（８）を張る。
雨センサー（５）は雨を直接感知できる屋外の適当な場所に固定し、モーター制御装置（６）との間を配線接続する。
モーター制御装置（６）はモーター（４）との間を配線接続し、防雨できる場所または屋内等に置いて電源を切り、使用する場合に交流１００Ｖの電源を入れる。
僅かでも雨が降り出すと雨センサー（５）からの検知信号によってモーター制御装置（６）が働き、モーター（４）の回転によってスクリーン（２）がガイド紐（８）に沿って巻き出され洗濯物の上部を覆い予め設定した位置で停止し、洗濯物の降雨による濡れを防止する。
洗濯物を取り入れる場合はモーター制御装置（６）の電源を切り、チェーン（１３）を使いスクリーン（２）を巻き取る。
遮光を目的として使用する場合は、モーター制御装置（６）の電源を切り、チェーン（１３）を使いスクリーン（２）の巻き出し幅を調節する。
屋外に設置するため、強風が予想される場合や防雨目的として使用しない場合はガイド紐（８）をベランダ手擦（７）から取り外し、チェーン（１３）でスクリーン（２）を巻き取っておく。
【符号の説明】
【０００９】        １  フレーム
２  スクリーン
３  ボトムパイプ
４  モーター
５  雨センサー
６  モーター制御装置
７  ベランダ手摺
８  ガイド紐
９  モーター軸
１０  プーリー
１１  駆動軸
１２  吊りフック
１３  チェーン
１４  防水カバー
【図１】
2019118780.tif 000003
【図２】
2019118780.tif 000004